(57)【要約】【課題】  監視用記録再生装置を待機状態に移行させるのと同時に、カメラ用電源装置に接続された監視用カメラへの電源供給を停止する手段において、ＡＣラインの切り替え制御ではコストがかかってしまう。また監視用カメラへの電源供給を各カメラ毎に制御することができない。【解決手段】  監視用記録再生装置１を待機状態へ移行させるのと同時に、カメラ用電源装置３１に接続された監視用カメラ３２ａ、３２ｂ、３２ｃへの電源供給を停止する手段として、監視用記録再生装置１に具備する電源制御出力端子１２と、カメラ用電源装置３１に具備する電源制御入力端子３７を接続し、メニュー操作により監視用記録再生装置１からカメラ用電源装置３１に、カメラ用電源制御信号を伝送することにより行う。また、電源制御信号にカメラ毎の識別情報を入れ、監視用カメラ１台毎に電源供給の制御を行う。【選択図】  図１
2008172300.tif 000002
【特許請求の範囲】
【請求項１】
所定の回路ブロックのみを動作させる待機状態を備える監視用記録再生装置において、
外部のカメラ用電源装置を制御する制御手段を設けることを特徴とする監視用記録再生装置。
【請求項２】
請求項１記載の監視用記録再生装置において、前記制御手段は、前記外部のカメラ用電源装置から監視用カメラに供給する電源を制御することを特徴とする監視用記録再生装置。
【請求項３】
請求項１記載の監視用記録再生装置において、前記制御手段から前記外部のカメラ用電源装置に伝送する制御信号には、カメラ毎の識別信号が含まれることを特徴とする監視用記録再生装置。
【発明の詳細な説明】
【技術分野】
【０００１】
本発明は、監視用記録再生装置に係り、特に省電力の技術に関する。
【背景技術】
【０００２】
近年、監視システムに使用される監視用記録再生装置の省電力が注目されるようになってきた。監視用記録再生装置の省電力技術である特開昭６１−２８５８７９号公報（特許文献１）記載の従来技術では、監視用ビデオレコーダにおいて、タイマ予約後は待機状態にして消費電力の低減を図ると共に、タイマ時間になったりアラームが入ったときは電源入り状態にして記録を開始することができるようになっている。さらに、カメラ用の商用電源（ＡＣ電源）を入／断するカメラ電源スイッチを設け、本ビデオレコーダが待機状態ではカメラ電源スイッチを断にしてビデオカメラへのＡＣ電源の供給を停止することにより、消費電力の低減を図っている。
【０００３】
また、特開平６−１０５２７９号公報（特許文献２）記載の従来技術では、要約に目的として「アラーム発生の瞬間を記録することができる監視用テレビカメラ装置におけるＶＴＲの記録方式の実現を目的とする。」と記載され、構成として「各種アラーム，センサ等の検知出力により，ＶＴＲを起動して対応するテレビカメラの映像信号を録画する監視用テレビカメラ装置において，上記テレビカメラとＶＴＲの間に，画像メモリを使用し，アラーム発生時の映像を上記ＶＴＲに記録する構成とした、監視用テレビカメラ装置におけるＶＴＲの記録方式。」と記載されている。
【０００４】
【特許文献１】特開昭６１−２８５８７９号公報
【特許文献２】特開平６−１０５２７９号公報
【発明の開示】
【発明が解決しようとする課題】
【０００５】
通常、監視用記録再生装置を使用した監視システムでは、監視用記録再生装置から直接監視カメラ用の電源を供給すると、監視用記録再生装置自体の消費電力が大きくなるので、監視用カメラへ電源を供給するためのカメラ用電源装置が使用されている。監視用記録再生装置は、このカメラ用電源装置を介して映像信号を入力し、映像を記録するようになっている。このような監視システムでは、消費電力を低減することが望まれている。
【０００６】
ここで、監視用記録再生装置を待機状態に移行させるのと同時に、カメラ用電源装置の監視用カメラへの電源供給を停止させる手段において、上記特許文献１記載の従来技術では、監視用記録再生装置を待機状態に移行させるのと同時にカメラ用電源装置のＡＣ電源の供給を停止させている。この技術について図１０を用いて説明する。図１０は従来の監視用記録再生装置により構成された監視システムのブロック図である。
【０００７】
監視用記録再生装置１０１においては、監視用記録再生装置のＡＣプラグ１１４から入力されるＡＣ電源を、ＤＣ電源に変換する電源回路１０３に供給し、電源回路１０３ではＤＣ電源を常時出力する常時出力と、ＤＣ電源スイッチ１０５によりパワーオン時にＤＣ電源を出力するパワーオン時出力とから、本装置内に電源を供給するようになっている。
【０００８】
一方、監視用記録再生装置１０１のＡＣプラグ１１４から入力されるＡＣ電源をＡＣリレースイッチ１１８を介しＡＣアウトレット１１９にＡＣ電源が供給され、カメラ用電源装置１３１はＡＣプラグ１３８からＡＣ電源が供給される。ここで、監視用記録再生装置１０１が待機状態にあるときにはＡＣリレースイッチ１１８が断となり、カメラ用電源装置１３１へのＡＣ電源の供給を停止できるようになっている。
【０００９】
監視用記録再生装置１０１では電力消費量を抑えるため、監視用記録再生装置１０１のシステム制御を行う制御回路１０７や、それに付随する時刻管理を行う時計回路１０６に電源回路１０３の常時出力から常時ＤＣ電源の供給をして動作させておく待機状態にし、同時にＡＣリレースイッチ１１８が断となりカメラ用電源装置１３１へのＡＣ電源の供給を停止して監視用カメラ１３２ａ、１３２ｂ、１３２ｃへの電源供給も停止している。ここで、アラーム入力端子１１１にアラーム信号が入力されると、制御回路１０７の制御により本装置がパワーオン状態となり電源回路１０３のＤＣ電源スイッチ１０５がオンして、記録メディアであるハードディスク（ＨＤＤ）１０９、メモリ１０８、記録再生回路１１０を含め回路全体が動作を開始し、同時にＡＣリレースイッチ１１８がオンとなりカメラ用電源装置１３１に接続された監視用カメラ１３２ａ、１３２ｂ、１３２ｃに電源が供給され、監視用カメラ１３２ａ、１３２ｂ、１３２ｃからの映像信号をハードディスク１０９に記録するようにして、待機状態からのアラーム記録を実行している。
【００１０】
ところで、監視用記録再生装置では、製造コストも重要な要素である。しかしながら、上記特許文献１記載の従来技術を用いた装置では、カメラ用電源装置の消費電力を低減するために、ＡＣ電源の入／断の切り替え用にＡＣリレースイッチを使用している。このＡＣリレースイッチはＡＣ電源の１次側を切り替える必要があるため、高価な部品となり、コストアップになるという問題があった。
【００１１】
また、上記特許文献２記載の従来技術では、監視用記録再生装置が待機状態であっても、アラーム発生の瞬間からのアラーム記録あるいはプリアラーム記録を可能にしているが、カメラ用電源装置への電源制御には配慮されておらず、監視用記録再生装置が待機状態にある時でも、全ての監視用カメラには常時電源供給が行われるため、無駄な電力が消費されてしまうという問題があった。
【００１２】
そこで、監視用記録再生装置において、カメラ用電源装置を制御するための制御端子を設け、カメラ用電源装置に接続された監視用カメラへの電源供給の制御を行うことにより、コストアップを抑ながら消費電力を低減できる監視用記録再生装置を提供することにある。
【００１３】
本発明の目的は、監視用記録再生装置の消費電力の低減である。
【課題を解決するための手段】
【００１４】
上記課題を解決するために、本発明は、特許請求の範囲の構成を採用する。一例として、次のような構成を採用する。
【００１５】
所定の回路ブロックのみを動作させる待機状態を備える監視用記録再生装置において、外部のカメラ用電源装置を制御する制御手段を設けることを特徴とする。これにより、ＡＣリレースイッチのような高価な部品を使うことなく、伝送した制御信号によってカメラ用電源装置の動作を待機状態に制御とすることにより、安価に省電力が実現できるようにした。
【００１６】
さらに、前記制御手段は、前記外部のカメラ用電源装置から監視用カメラに供給する電源を制御することを特徴とする。これにより、カメラ用電源装置内のカメラ用ＤＣ電源出力回路を伝送した制御信号によってオン、オフさせる制御とすることにより、安価に省電力が実現できるようにした。
【００１７】
さらに、前記制御手段から前記外部のカメラ用電源装置に伝送する制御信号には、カメラ毎の識別信号が含まれることを特徴とする。これにより、監視用カメラ１台毎に電源供給の制御をすることを可能にし、アラーム記録を行う監視用カメラにのみ電源供給をしておけば、待機状態からのプリアラーム記録が実現できるのと同時に、無駄な電力消費が抑えられ、電力消費量の大幅な低減が実現できる。
【発明の効果】
【００１８】
本発明によれば、監視用記録再生装置において、消費電力を低減できる。一例として、カメラ用電源装置を制御するための制御端子を設け、カメラ用電源装置に接続された監視用カメラへの電源供給の制御を行うことにより、コストアップを抑ながら消費電力が低減できる。
【発明を実施するための最良の形態】
【００１９】
以下、本発明による実施の形態について、図面を用いて具体的に説明する。
【実施例１】
【００２０】
図１は、本発明の監視用記録再生装置により構成された監視システムのブロック図である。以下、本発明の監視用記録再生装置により構成された監視システムの構成及び動作を、図１を用いて説明する。
【００２１】
監視用記録再生装置１は、監視用記録再生装置のＡＣプラグ１４から入力されるＡＣ電源を、ＤＣ電源に変換する電源回路３に供給し、整流回路４でＤＣ電源に変換され、ＤＣ電源を常時供給するＡ電源１５と、ＤＣ電源スイッチ５によりパワーオン時にＤＣ電源を供給するＢ電源１６分かれる。
【００２２】
Ａ電源１５は、時刻管理を行う時計回路６、本監視用記録再生装置１全体のシステム制御を行う監視用記録再生装置の制御回路７、一時的に映像データを保存するメモリ８、および記録や再生の映像信号処理を行う記録再生回路１０のうちの記録系回路に接続されており、監視用記録再生装置１の状態によらず、監視用記録再生装置のＡＣプラグ１４からの電源供給がある限り常時ＤＣ電源を供給し続ける。
【００２３】
一方、Ｂ電源１６は、映像データを記録保存するハードディスク（ＨＤＤ）９および記録再生回路１０のうちの再生系回路、更に図１では図示していないがファンモータ、ブザー、電源スイッチ１３以外の表示用ＬＥＤ等に接続されている。監視用記録再生装置１が待機状態にある時は、ＤＣ電源スイッチ５は断状態にあり、Ｂ電源の供給を停止し、Ａ電源１５のみを供給し、消費電力の低減を図っている。また、本実施例では監視用記録再生装置１が停止状態、記録状態、再生状態、あるいは同時記録再生状態にあり、ハードディスク９への記録再生が可能な状態をパワーオン状態と呼び、パワーオン状態にある時は、ＤＣ電源スイッチ５は入り状態になり、Ａ電源１５とＢ電源１６の供給を行う。
【００２４】
また、監視用記録再生装置１は、カメラ用電源装置３１を介して監視用カメラ３２ａ、３２ｂ、３２ｃから監視用記録再生装置の映像入力端子２ａ、２ｂ、２ｃに入力される映像信号を、記録再生回路１０で符号化等の処理をした映像データを一旦メモリ８に蓄積後、ハードディスク９に記録する。
【００２５】
カメラ用電源装置３１は、カメラ用電源装置のＡＣプラグ３８にＡＣ電源を供給することにより、カメラ用電源装置の整流回路３６でＤＣ電源に変換され、そのＤＣ電源はカメラ用電源装置３１内の各ブロックに供給されると共に、カメラ用電源装置の制御回路３９により電源制御スイッチ３５ａ、３５ｂ、３５ｃを制御し、監視カメラ３２ａ、３２ｂ、３２ｃへの電源供給を入／断させる。
【００２６】
また、カメラ用電源装置３１の映像入力端子３３ａ、３３ｂ、３３ｃに入力されている監視用カメラ３２ａ、３２ｂ、３２ｃからの映像信号のラインには、電源制御スイッチ３５ａ、３５ｂ、３５ｃの後、カメラ用電源装置の整流回路３６からのＤＣ電源が重畳されており、電源制御スイッチ３５ａ、３５ｂ、３５ｃが入の場合には監視カメラ３２ａ、３２ｂ、３２ｃへの電源供給を行うようになっている。  電源制御スイッチ３５ａ、３５ｂ、３５ｃでＤＣ電源を重畳された映像信号からはＤＣ成分をカットするコンデンサ４２a、４２ｂ、４２ｃを介して映像信号のみがカメラ用電源装置の映像出力端子３４ａ、３４ｂ、３４ｃに出力される。なお、監視用カメラ３２ａ、３２ｂ、３２ｃで生成した映像信号は、カメラ用電源装置３１から供給されるＤＣ電源に重畳回路４１ａ、４１ｂ、４１ｃにより重畳される。
【００２７】
ここで、本発明に係る待機状態について説明する。監視用記録再生装置１をメニュー操作で待機状態にすると、ＤＣ電源スイッチ５が断となりＡ電源１５に接続されている時計回路６、監視用記録再生装置の制御回路７のみが動作することとなり消費電力を低減できる。同時に、監視用記録再生装置の制御回路７は、カメラ用電源装置３１の電源制御スイッチ３５ａ、３５ｂ、３５ｃを「断」とするための制御信号を生成し、電源制御出力端子１２を介してカメラ用電源装置３１の電源制御入力端子３７に監視用カメラ「断」の制御信号を送る。カメラ用電源装置３１では電源制御入力端子３７から入力された情報をカメラ用電源装置の制御回路３９で解析し、制御信号に応じて電源制御スイッチ３５ａ、３５ｂ、３５ｃを「断」とすることで、監視用カメラ３２ａ、３２ｂ、３２ｃに電源が供給されなくなり（停止）、消費電力を低減できる。このように、監視用記録再生装置１では監視用記録再生装置の制御回路７で監視用カメラの電源を「断」する制御信号を生成し、カメラ用電源装置３１ではカメラ用電源装置の制御回路３９で制御信号を解析して電源制御スイッチ３５ａ、３５ｂ、３５ｃを制御することで、ＡＣリレースイッチのような高価な部品を使用しなくても済み、コストアップを抑ながら電力消費が低減できる。
【００２８】
次に、監視用記録再生装置１がパワーオン状態時の通常記録について説明する。電源スイッチ１３の押下により監視用記録再生装置１がパワーオン状態になると、Ａ電源１５とＢ電源１６に接続されている各ブロックが動作状態になると共に監視用記録再生装置の制御回路７は、カメラ用電源装置３１の電源制御スイッチ３５ａ、３５ｂ、３５ｃを「入」とするための制御信号を生成し、電源制御出力端子１２を介してカメラ用電源装置３１の電源制御入力端子３７に監視用カメラ「入」の制御信号を送る。カメラ用電源装置３１では電源制御入力端子３７から入力された制御信号をカメラ用電源装置の制御回路３９で解析し、制御信号に応じて電源制御スイッチ３５ａ、３５ｂ、３５ｃを「入」とすることで、監視用カメラ３２ａ、３２ｂ、３２ｃに電源を供給し、監視用カメラ３２ａ，３２ｂ，３２ｃを動作状態にする。その後記録のための操作をすると、監視用カメラ３２ａ、３２ｂ、３２ｃからの映像信号は、コンデンサ４２ａ、４２ｂ、４２ｃでＤＣ成分がカットされた後カメラ用電源装置の映像出力端子３４ａ、３４ｂ、３４ｃを介して、監視用記録再生装置１の映像入力端子２ａ、２ｂ、２ｃに入力され、記録再生回路１０で符号化等の処理をした映像データを一旦メモリ８へ蓄積後、ハードディスク９に常時記録する。
【００２９】
また、タイマ記録の場合監視用記録再生装置１は待機状態にあり、時計回路６の情報を基に監視用記録再生装置の制御回路７が、タイマ予約された時間になると監視用記録再生装置１をパワーオン状態にし、電源制御出力端子１２を介して監視用カメラ３２ａ、３２ｂ、３２ｃを動作させ、監視用カメラ３２ａ、３２ｂ、３２ｃからの映像信号を、ハードディスク９へ記録を行うように制御する。
【００３０】
また、アラーム記録の場合監視用記録再生装置１は待機状態にあり、アラーム入力端子１１にアラーム信号が入力されると、監視用記録再生装置の制御回路７が監視用記録再生装置１をパワーオン状態にし、電源制御出力端子１２を介してアラーム記録を行うように設定された監視用カメラを動作させ、監視用カメラの映像信号を、ハードディスク９に記録を行うように制御する。
【００３１】
本実施例では、監視用記録再生装置の制御回路７で生成する電源制御スイッチ３５ａ、３５ｂ、３５ｃを「入／断」させるための制御信号には監視用カメラそれぞれを個々に制御するための制御信号が含まれており、監視用カメラ毎に動作または停止を制御できるようになっている。メニュー操作により「全カメラ同時」または「各カメラ毎」に入／断を選択できるようになっている。また、監視用記録再生装置１のメモリ８と記録再生回路１０のうちの記録系回路には常にＡ電源１５が供給されているため、監視用記録再生装置１の映像入力端子２ａ、２ｂ、２ｃに入力された映像信号は、常に映像データとなってメモリ８に蓄積されている。従って、プリアラーム記録したい監視用カメラ（例えば監視用カメラ３２ａ）を待機状態でも「入」しておくことで、アラーム入力端子１２にアラーム信号が入力された場合に、監視用カメラ３２ａの映像信号をプリアラームの映像から記録することも可能である。
【００３２】
ここで通常記録の場合は、監視用記録再生装置１はパワーオン状態でなければ実行できないが、タイマ記録およびアラーム記録については、必ずしも常にパワーオン状態である必要はない。すなわち、記録を必要とする時だけパワーオン状態に移行していれば、それ以外の時間は待機状態であってもよいことになり、待機状態からタイマ記録およびアラーム記録を実行することにより消費電力が低減される。
【００３３】
次に、監視用記録再生装置１の待機状態とパワーオン状態の切り替えについて説明する。待機状態からパワーオン状態への切り替えについては、監視用記録再生装置１に具備する電源スイッチ１３を押下することにより行い、パワーオン状態から待機状態への切り替えについては、メニュー操作としている。監視用記録再生装置１に具備するメニュー釦１７押下によるメニュー操作により、「待機状態」を選択した後「記録再生装置単体」を選択すると、監視用記録再生装置１のみが待機状態になる。「カメラ用電源装置連動」を選択しさらに監視用カメラ毎の電源供給の設定をすると、監視用記録再生装置１を待機状態にするのと同時に、カメラ用電源装置３１の監視用カメラ毎に電源供給を停止したり入れたりすることができる。
【００３４】
本発明の監視用記録再生装置により構成された監視システムにおける待機状態移行時の処理の流れを図２および図３に示すフローチャート及び図４〜図７に示す表示画面例を用いて説明する。図２は本発明の監視用記録再生装置の待機状態移行時のフローチャート、図３は本発明のカメラ用電源装置の待機状態移行時のフローチャート、図４は本発明の監視用記録再生装置のメニュー選択画面例、図５は本発明の監視用記録再生装置の待機状態選択画面例、図６は本発明の監視用記録再生装置の全カメラ／個別カメラ選択画面例、図７は本発明の監視用記録再生装置の個別カメラ選択画面例である。
【００３５】
まず初めに図２、図４〜図７を用いて監視用記録再生装置１の処理の流れ及び画面例について説明する。ステップＳ２０１でメニュー釦１７を押下すると、ステップＳ２０２で図４に示すメニュー選択画面を表示する。図４のようにメニュー選択画面の中には、記録に関する設定を行う「記録」メニューや、動きを検知して記録を行うモーションディテクタに関する設定を行う「モーションディテクタ」メニュー等があり、ステップＳ２０３では図４の画面表示を見て、「待機状態」以外を選択した場合には、ステップＳ２０４ではそれぞれ選択したメニュー内容に応じたメニュー画面を表示するので、メニュー内容に応じたメニュー操作をする。
【００３６】
ステップＳ２０３で「待機状態」メニューを選択及び決定した場合には、ステップＳ２０５で図５に示す待機状態選択画面を表示する。ここでは、現在既に設定してある待機状態に移行させる「現在の設定」と、監視用記録再生装置１のみを待機状態にさせる「記録再生装置単体」と、監視用記録再生装置１を待機状態にするのと同時にカメラ用電源装置３１の監視用カメラへの電源供給を停止する「カメラ用電源装置連動」が選択できる。ここで「現在の設定」の初期値は「記録再生装置単体」が設定されている。
【００３７】
ステップＳ２０６では図５の画面表示を見て、「現在の設定」を選択及び決定した場合、初期値時はステップＳ２０７では監視用記録再生装置１のみが待機状態に移行し、カメラ用電源装置３１に対して電源供給を行う制御信号を生成して電源制御出力端子１２を介してカメラ用電源装置３１に伝送する。また既に初期値とは別の設定がされている場合に「現在の設定」を選択した場合には、ステップＳ２０７では監視用記録再生装置１が待機状態に移行するのと同時にカメラ用電源装置３１に対して既設定内容に従い監視用カメラへの電源供給停止の制御信号を生成してカメラ用電源装置３１に伝送する。なお図５の待機状態選択画面で、「現在の設定」にカーソルを合わせると、現在設定されている内容が表示される。
【００３８】
ステップＳ２０６で「記録再生装置単体」を選択及び決定した場合には、ステップＳ２０８では監視用記録再生装置１のみが待機状態に移行し、カメラ用電源装置に対して電源供給を行う制御信号を生成してカメラ用電源装置３１に伝送する。
【００３９】
ステップＳ２０６で「カメラ用電源装置連動」を選択及び決定した場合には、ステップＳ２０９で図６に示す全カメラ／個別カメラ選択画面を表示する。ここでは、監視用記録再生装置１が待機状態になるのと同時にカメラ用電源装置３１に接続されている全ての監視用カメラへの電源供給を停止にするための「全カメラ」と、監視用記録再生装置１が待機状態になるのと同時にカメラ用電源装置３１に接続されている特定の監視用カメラへの電源供給を停止する「個別カメラ」が選択できる。
【００４０】
ステップＳ２１０では図６の画面表示を見て、「全カメラ」を選択及び決定した場合には、ステップＳ２１１では監視用記録再生装置１が待機状態になるのと同時にカメラ用電源装置３１に接続されている全ての監視用カメラへの電源供給を停止する制御信号を生成してカメラ用電源装置３１に伝送する。また、「個別カメラ」を選択及び決定した場合には、ステップＳ２１２で図７に示す個別カメラ選択画面を表示する。ここでは、監視用記録再生装置１が待機状態になるのと同時にカメラ用電源装置３１に接続されている監視用カメラの内、どの監視用カメラへの電源供給を停止するのか選択することができる。ここで、ステップＳ２１３では図７の画面表示を見て、監視用記録再生装置１が待機状態になるのと同時に電源供給を停止する監視用カメラ、例えば３２ｂ、３２ｃを選択後メニュー釦を押下することにより、ステップＳ２１４では監視用記録再生装置１が待機状態になるのと同時に前記選択した監視用カメラ３２ｂ、３２ｃへの電源供給停止の制御信号を生成してカメラ用電源装置３１に伝送する。
【００４１】
以上の操作及び処理により、監視用記録再生装置のみを待機状態にすることも、監視用記録再生装置が待機状態になるのと同時にカメラ用電源装置に接続されている全てあるいは特定の監視用カメラへの電源供給を停止させることが可能となる。
【００４２】
次に、図３を用いてカメラ用電源装置３１の処理の流れについて説明する。カメラ用電源装置３１は、ステップＳ３０１では監視用記録再生装置１から伝送された制御信号を検知し、次にステップＳ３０２では制御信号の解析を行う。制御信号には、監視用カメラの制御信号の全てがＬｏの場合と、監視用カメラの制御信号の全てがＨｉの場合と、監視用カメラ毎に制御信号にＬｏとＨｉが混在している場合の３種類ある。
【００４３】
ステップＳ３０２で解析した制御信号が全てＬｏの場合は、ステップＳ３０３では電源制御スイッチを全て入り状態にし全ての監視用カメラへの電源供給を行う。
【００４４】
また、ステップＳ３０２で解析した制御信号が全てＨｉの場合は、ステップＳ３０４では電源制御スイッチを全て断状態にし全ての監視用カメラへの電源供給を停止する。
【００４５】
また、ステップＳ３０２で解析した制御信号にＬｏとＨｉが混在する場合は、ステップＳ３０５では制御信号Ｌｏに対応する監視用カメラが接続された電源制御スイッチを入り状態にし電源供給を行い、制御信号Ｈｉに対応する監視用カメラが接続された電源制御スイッチを断状態にし電源供給を停止する。
【００４６】
このようにカメラ用電源装置は、監視用記録再生装置１から伝送される制御信号を基に、監視用カメラへの電源の供給と停止を行っている。
【００４７】
次に、監視用記録再生装置１からカメラ用電源装置３１に伝送される具体的な制御信号について、図８を用いて説明する。図８は本発明の監視用記録再生装置から伝送するパワーオン状態時の制御信号の構成図、図９は本発明の監視用記録再生装置から伝送する待機状態時の制御信号の構成図である。尚、ここで、制御する監視用カメラの数は３台とする。
【００４８】
監視用記録再生装置１のパワーオン状態では、電源制御出力端子１２からは、図８（ａ）に示すように常にカメラ用電源装置３１を制御するための基準パルスＰが等間隔Ｔで出力されている。また、図８（ｂ）に示すように基準パルスＰ間には、カメラ用電源装置３１に接続された監視用カメラ３２ａ、３２ｂ、３２ｃへの電源供給を制御するための制御信号が付加される。この付加信号は、基準パルスＰの立上りポイントを基準にして、時間ｔ１経過した所を中心に幅ｔを持ったパルスＰ１は監視用カメラ３２ａを制御するための制御信号であり、時間ｔ２経過した所を中心に幅ｔを持ったパルスＰ２は監視用カメラ３２ｂを制御するための制御信号であり、同様に時間ｔ３経過した所を中心に幅ｔを持ったパルスＰ３は監視用カメラ３２ｃを制御するための制御信号である。この制御信号は、基準パルスＰも含め上記待機状態に関するメニュー操作による設定を受けて監視用記録再生装置の制御回路７で生成される。
【００４９】
ここで、基準パルスＰの波高値とパルスＰ１〜Ｐ３の制御信号の波高値を変えることにより、基準パルスＰとパルスＰ１〜Ｐ３の制御信号を区別している。また、制御信号がＬｏの時は監視用カメラへの電源供給を行う制御であり、Ｈｉの時は監視用カメラへの電源供給を停止する制御となっており、監視用記録再生装置１からの制御信号がない場合には全てＬｏ判断されて、監視用カメラへの電源供給を行うようになっている。これにより、カメラ用電源装置３１は本発明による監視用記録再生装置１と組合せなくとも、他の監視用記録再生装置と組合わせて使用できるようにしている。
【００５０】
一方、カメラ用電源装置３１は、監視用記録再生装置１から伝送された制御信号に対して解析を行う。始めに基準パルスＰを検知してから制御信号の読み込みを行い、基準パルスＰの立上りから時間ｔ１経過後の信号Ｐ１がＨｉかＬｏか読み込み、Ｈｉであればカメラ用電源装置の制御回路３９は電源制御スイッチ３５ａが断状態になるように制御し、監視用カメラ３２ａへの電源供給を停止する。またＬｏであればカメラ用電源装置の制御回路３９は電源制御スイッチ３５ａが入状態になるように制御し、監視用カメラ３２ａへの電源供給を行う。
【００５１】
同様に基準パルスＰの立上りから時間ｔ２経過後の信号Ｐ２がＨｉかＬｏか読み込み、Ｈｉであればカメラ用電源装置の制御回路３９は電源制御スイッチ３５ｂが断状態になるように制御し、監視用カメラ３２ｂへの電源供給を停止する。またＬｏであればカメラ用電源装置の制御回路３９は電源制御スイッチ３５ｂが入状態になるように制御し、監視用カメラ３２ｂへの電源供給を行う。
【００５２】
同様に基準パルスＰの立上りから時間ｔ３経過後の信号Ｐ３がＨｉかＬｏか読み込み、Ｈｉであればカメラ用電源装置の制御回路３９は電源制御スイッチ３５ｃが断状態になるように制御し、監視用カメラ３２ｃへの電源供給を停止する。またＬｏであればカメラ用電源装置の制御回路３９は電源制御スイッチ３５ｃが入状態になるように制御し、監視用カメラ３２ｃへの電源供給を行う。ここで、制御信号の読み込みによる電源制御スイッチへの制御は、次の基準パルスＰが来て再度制御信号を読み込むまでは保持したままとなる。
【００５３】
次に具体的にメニュー操作による設定と制御信号の関係について、図９を用いて説明する。前記説明した待機状態に関するメニュー操作の中で、図５の待機状態選択画面表示中に、初期状態で「現在の設定」を選択した場合および「記録再生装置単体」を選択・決定した場合は、カメラ用電源装置３１に対し監視用カメラ３２ａ、３２ｂ、３２ｃへの電源供給を常に行う制御となるため、パルスＰ１、Ｐ２、Ｐ３は全てＬｏが付加され、図９（ｃ）に示す制御信号となり、監視用記録再生装置１からカメラ用電源装置３１に伝送される。カメラ用電源装置の制御回路３９は、そのパルスＰ１、Ｐ２、Ｐ３が全てＬｏであることを検知し、電源制御スイッチ３５ａ、３５ｂ、３５ｃが入状態になるように制御する。その結果、監視用カメラ３２ａ、３２ｂ、３２ｃへの電源供給は続けたままとなり監視用記録再生装置１のみが待機状態へ移行する。
【００５４】
また、「カメラ用電源装置連動」を選択・決定した場合は、上記説明のように図６に示す全カメラ／個別カメラ選択画面に移行する。更にここで「全カメラ」を選択・決定した場合は、カメラ用電源装置３１に対して全ての監視用カメラ３２ａ、３２ｂ、３２ｃへの電源供給を停止させる制御となるため、パルスＰ１、Ｐ２、Ｐ３は全てＨｉが付加され、図９（ｄ）に示す制御信号となり、監視用記録再生装置１からカメラ用電源装置３１に伝送される。カメラ用電源装置の制御回路３９は、そのパルスＰ１、Ｐ２、Ｐ３が全てＨｉであることを検知し、電源スイッチ３５ａ、３５ｂ、３５ｃが断状態になるように制御する。その結果、監視用記録再生装置１が待機状態に移行するのと同時に監視用カメラ３２ａ、３２ｂ、３２ｃへの電源供給が停止される。
【００５５】
また「個別カメラ」を選択・決定した場合は、上記説明のように図７に示す個別カメラ選択画面に移行する。例えばここで監視用カメラ３２ｂ、３２ｃを選択しメニュー釦１７を押下した場合は、カメラ用電源装置３１に対して監視用カメラ３２ｂ、３２ｃへの電源供給を停止させる制御となるため、パルスＰ１はＬｏ、パルスＰ２とＰ３はＨｉが付加され図９（ｅ）に示す制御信号となり、監視用記録再生装置１からカメラ用電源装置３１に伝送される。カメラ用電源装置の制御回路３９は、その制御信号のうちパルスＰ１がＬｏでパルスＰ２、Ｐ３がＨｉであることを検知し、電源スイッチ３５ａが入状態、電源スイッチ３５ｂおよび３５ｃが断状態になるように制御する。その結果、監視用記録再生装置１が待機状態に移行するのと同時に監視用カメラ３２ｂ，３２ｃへの電源供給が停止される。
【００５６】
以上の説明のように本監視用記録再生装置１は待機状態を備えており、電源制御信号を用いることにより監視用記録再生装置１のみを待機状態にすることと、監視用記録再生装置１が待機状態に移行するのと同時に全ての監視用カメラ３２ａ、３２ｂ、３２ｃへの電源供給を停止することと、監視用記録再生装置１が待機状態に移行するのと同時に特定の監視用カメラ３２ａまたは３２ｂまたは３２ｃへの電源供給を個別に停止することが可能になっており、電源リレースイッチを使用していないため低コストで実現している。
【００５７】
また、通常監視用記録再生装置は、本来、ある特定の時間だけ記録していれば良いにもかかわらず、一日中記録をした状態で使用されることが多く、その場合ある特定の時間以外は監視を必要としないため、無駄な電力を消費することになる。従って、そのような使い方をしている場合に、本発明による監視用記録再生装置１の待機状態を利用すれば電力消費量を抑えることができる。更に監視用カメラ３２ａ、３２ｂ、３２ｃも連動させ電源供給を停止させれば効果は大きくなる。
【００５８】
また、監視用カメラ１台毎に電源制御ができるので、監視用記録再生装置１を待機状態に移行させるのと同時にアラーム記録を設定したカメラのみパワーオン状態にしておき、その他のカメラへは電源供給を停止させておけば、電力消費量を低減させた状態からのプリアラーム記録を含むアラーム記録が可能となる。
【００５９】
また、パワーオン状態から待機状態への移行については、メニュー釦１７の押下によるメニュー操作により「待機状態」を選択することにより行っているため、誤操作による待機状態への移行を防止している。もし、誤操作により簡単に待機状態に切り替わってしまうと、ハードディスク９に供給する電源が断状態となり、ハードディスク９が停止してしまう。この状態から再度パワーオン状態に移行させハードディスクへの記録が可能な状態になるまでは数十秒掛かってしまうため、その間監視機能を失ってしまう。このような失態を防ぐために、メニュー操作による意思決定により待機状態へ移行させる手段が有効となる。
【図面の簡単な説明】
【００６０】
【図１】本発明の監視用記録再生装置により構成された監視システムのブロック図
【図２】本発明の監視用記録再生装置の待機状態移行時のフローチャート
【図３】本発明のカメラ用電源装置の待機状態移行時のフローチャート
【図４】本発明の監視用記録再生装置のメニュー選択画面例
【図５】本発明の監視用記録再生装置の待機状態選択画面例
【図６】本発明の監視用記録再生装置の全カメラ／個別カメラ選択画面例
【図７】本発明の監視用記録再生装置の個別カメラ選択画面例
【図８】本発明の監視用記録再生装置から伝送するパワーオン状態時の制御信号の構成図
【図９】本発明の監視用記録再生装置から伝送する待機状態時の制御信号の構成図
【図１０】従来の監視用記録再生装置のブロック図
【符号の説明】
【００６１】
１、１０１・・・監視用記録再生装置、
２ａ、２ｂ、２ｃ・・・監視用記録再生装置の映像入力端子、３、１０３・・・電源回路、
４・・・整流回路、５、１０５・・・ＤＣ電源スイッチ、
６、１０６・・・時計回路、７、１０７・・・監視用記録再生装置の制御回路、
８、１０８・・・メモリ、９、１０９・・・ハードディスク（ＨＤＤ）、
１０、１１０・・・記録再生回路、１１、１１１・・・アラーム入力端子、
１２・・・電源制御出力端子、１３・・・電源スイッチ、
１４、１１４・・・監視用記録再生装置のＡＣプラグ、１５・・・Ａ電源、１６・・・Ｂ電源、
１７・・・メニュー釦、３１、１３１・・・カメラ用電源装置、
３２ａ、３２ｂ、３２ｃ、１３２ａ，１３２ｂ、１３２ｃ・・・監視用カメラ、
３３ａ、３３ｂ、３３ｃ・・・カメラ用電源装置の映像入力端子、
３４ａ、３４ｂ、３４ｃ・・・カメラ用電源装置の映像出力端子、
３５ａ、３５ｂ、３５ｃ・・・電源制御スイッチ、３６・・・カメラ用電源装置の整流回路、
３７・・・電源制御入力端子、３８、１３８・・・カメラ用電源装置のＡＣプラグ、
３９・・・カメラ用電源装置の制御回路、４１ａ，４１ｂ，４１ｃ・・・重畳回路、
４２ａ、４２ｂ、４２ｃ・・・コンデンサ
１１８・・・ＡＣリレースイッチ、１１９・・・ＡＣアウトレット
【図１】
2008172300.tif 000003
【図２】
2008172300.tif 000004
【図３】
2008172300.tif 000005
【図４】
2008172300.tif 000006
【図５】
2008172300.tif 000007
【図６】
2008172300.tif 000008
【図７】
2008172300.tif 000009
【図８】
2008172300.tif 000010
【図９】
2008172300.tif 000011
【図１０】
2008172300.tif 000012